(57)【要約】【課題】シールの密封性能を確保しつつ低トルク化を図った車輪用軸受装置を提供する。【解決手段】シール８が、外方部材５に内嵌される嵌合部１２ａと径方向内方に延びる内径部１２ｂを有する芯金１２、および芯金１２に一体に接合され、径方向外方に傾斜して延びるサイドリップ１３ａと、この内径側に径方向外方に傾斜して延びるダストリップ１３ｂ、および軸受内方側に傾斜して延びるグリースリップ１３ｃを有するシール部材１３からなり、車輪取付フランジ６の基部６ｂが円弧状に形成され、これにサイドリップ１３ａが軸方向シメシロをもって、グリースリップ１３ｃが径方向シメシロを介して摺接されると共に、ダストリップ１３ｂの厚みＢがサイドリップ１３ａの厚みＣよりも大きく設定され、先端縁が基部６ｂの形状に沿う傾斜面に形成されて僅かな対向すきまＡを介して対峙し、ラビリンスシールが構成されている。【選択図】図２
2011080570.tif 000002
【特許請求の範囲】
【請求項１】
外周に懸架装置を構成するナックルに取り付けられるための車体取付フランジを一体に有し、内周に複列の外側転走面が一体に形成された外方部材と、
一端部に車輪を取り付けるための車輪取付フランジを一体に有し、外周に前記複列の外側転走面の一方に対向する内側転走面と、この内側転走面から軸方向に延びる小径段部が形成されたハブ輪、およびこのハブ輪の小径段部に嵌合され、前記複列の外側転走面の他方に対向する内側転走面が形成された内輪または等速自在継手の外側継手部材からなる内方部材と、
この内方部材と前記外方部材の両転走面間に転動自在に収容された複列の転動体と、
前記外方部材と内方部材との間に形成される環状空間の両端開口部に装着されたシールとを備えた車輪用軸受装置において、
前記シールのうちアウター側のシールが、前記外方部材の端部内周に圧入される円筒状の嵌合部と、この嵌合部から径方向内方に延びる内径部を有する芯金、およびこの芯金に一体に接合され、径方向外方に傾斜して延びるサイドリップと、このサイドリップの内径側にダストリップ、および軸受内方側に傾斜して延びるグリースリップを一体に有するシール部材からなり、前記車輪取付フランジのインナー側の基部が断面円弧状の曲面に形成され、この基部に前記サイドリップが所定の軸方向シメシロをもって摺接され、前記グリースリップが所定の径方向シメシロを介して摺接されると共に、
前記ダストリップが前記基部に対して僅かな対向すきまを介して対峙し、ラビリンスシールが構成されていることを特徴とする車輪用軸受装置。
【請求項２】
前記ダストリップの厚みが前記サイドリップの厚みよりも大きく設定されると共に、その先端縁が前記基部の形状に沿った傾斜面に形成されている請求項１に記載の車輪用軸受装置。
【請求項３】
前記ダストリップが扇型に形成され、その端部が前記基部の形状に沿った円弧状に形成されている請求項１に記載の車輪用軸受装置。
【請求項４】
前記ダストリップが径方向外方に屈曲して延び、その屈曲部が前記基部の形状に沿った円弧状に形成されている請求項１に記載の車輪用軸受装置。
【請求項５】
前記ダストリップの端部の周長さが、前記サイドリップとグリースリップ間の範囲の１／３以上になるように設定されている請求項３または４に記載の車輪用軸受装置。
【請求項６】
前記ダストリップの表面に微細な凹凸が形成され、前記サイドリップの表面粗さよりも粗く設定されている請求項１乃至５いずれかに記載の車輪用軸受装置。
【請求項７】
前記ダストリップの表面に予めグリースが塗布されている請求項１乃至６いずれかに記載の車輪用軸受装置。
【請求項８】
前記シール部材が、加硫接着によって前記芯金の内径部から嵌合部の一部に回り込んで固着され、外径部に径方向外方に突出する凸部が形成されると共に、この凸部の外径が前記芯金の嵌合部の外径よりも大径に形成され、前記外方部材の端部内周に弾性変形させて圧入されている請求項１に車輪用軸受装置。
【請求項９】
前記シール部材がアウター側の端部にフラット部を有し、このフラット部の外径と前記サイドリップの外径との段差が１．３５ｍｍ以上に設定されている請求項８に記載の車輪用軸受装置。
【発明の詳細な説明】
【技術分野】
【０００１】
本発明は、自動車等の車輪を懸架装置に対して回転自在に支承する車輪用軸受装置に関し、詳しくは、シールの密封性能を確保しつつ低トルク化を図った車輪用軸受装置に関するものである。
【背景技術】
【０００２】
従来から自動車等の車輪を支持する車輪用軸受装置は、車輪を取り付けるためのハブ輪を複列の転がり軸受を介して回転自在に支承するもので、駆動輪用と従動輪用とがある。構造上の理由から、駆動輪用では内輪回転方式が、従動輪用では内輪回転と外輪回転の両方式が一般的に採用されている。また、車輪用軸受装置には、懸架装置を構成するナックルとハブ輪との間に複列アンギュラ玉軸受等からなる車輪用軸受を嵌合させた第１世代と称される構造から、外方部材の外周に直接車体取付フランジまたは車輪取付フランジが形成された第２世代構造、また、ハブ輪の外周に一方の内側転走面が直接形成された第３世代構造、あるいは、ハブ輪と等速自在継手の外側継手部材の外周にそれぞれ内側転走面が直接形成された第４世代構造とに大別されている。
【０００３】
これらの車輪用軸受装置は泥水等がかかり易い部位に配置されるため、密封装置が装着されて外方部材と内方部材との間を密封するように構成されている。ここで、市場回収品の軸受損傷状況を検証すると、剥離等から来る本来の軸受寿命よりも、密封装置の不具合による損傷が多くを占めている。一般的に、密封装置は、シールリップを備えたシール部材が固定側部材となる外方部材に装着され、シールリップが内方部材の外周面に摺接されている。
【０００４】
従来から、低トルク化を図ったシール構造に関しては種々提案されているが、こうしたシール構造の一例を図６に示す。このシール５０は、外輪５１の内周面とハブ輪５２との間の内部空間５３の外端開口部を塞ぎ、互いに同心の３本のサイドリップ５４とダストリップ５５とグリースリップ５６とを備えている。シール５０に設けた３本のシールリップのうち、最も外径側に設けたサイドリップ５４は、先端縁に向かう程径方向外方に位置する方向に傾斜したもので、その先端縁はハブ輪５２の外周面に設けた車輪取付フランジ５７の内側面内径寄り部分に、全周に亙ってシメシロδ１（＝０．３５〜１．４ｍｍ程度）を持った状態で摺接している。
【０００５】
中間に設けたダストリップ５５は、先端縁を内部空間５３とは反対側に向けた状態で、車輪取付フランジ５７の内側面とハブ輪５２の外周面との連続部に設けた曲面部５８に、全周に亙ってシメシロδ２（＝０．０９〜１．０ｍｍ程度）を持った状態で摺接している。
【０００６】
これに対して、最も内部空間５３寄りに設けたグリースリップ５６は、先端縁をこの内部空間５３に向けた状態で、ハブ輪５２の外周面に対し、ラビリンスすきま５９を持たせて近接させるか、あるいはシメシロδ３を持たせて摺接している。シメシロδ３は、−０．２〜＋０．３５ｍｍの範囲に規制している。これにより、グリースリップ５６の先端縁とハブ輪５２の外周面との間の摩擦抵抗を低減若しくは解消することにより、シール性能を確保しつつ、ハブ輪５２の回転抵抗を低減して、車両の走行性能の向上を図っている（例えば、特許文献１参照。）。
【先行技術文献】
【特許文献】
【０００７】
【特許文献１】特開２００３−２２２１４５号公報
【発明の開示】
【発明が解決しようとする課題】
【０００８】
然しながら、こうした従来のシール５０では、グリースリップ５６の先端縁とハブ輪５２の外周面との間の摩擦抵抗を低減することにより、シール性能を確保しつつ、ハブ輪５２の回転抵抗を低減することができるが、グリースリップ５６が非接触では、軸受内部から外部への気密性が低下し、運転時の軸受温度上昇により軸受内部の圧力が上がった時に軸受外部に空気が抜け易くなる。この場合、温度が下がるとサイドリップ５４及びダストリップ５５がハブ輪５２の外周面に吸着し、反って摩擦抵抗が増してトルクアップが生じる恐れがあった。一方で、ドラムブレーキ仕様の車輪用軸受装置の場合、軸受のアウター側は周辺がブレーキ部品に囲われており、インナー側ほど直接泥水等の異物に晒されることはない。
【０００９】
本発明は、このような従来の問題に鑑みてなされたもので、シールの必要な密封性能を確保しつつ低トルク化を図った車輪用軸受装置を提供することを目的とする。
【課題を解決するための手段】
【００１０】
係る目的を達成すべく、本発明のうち請求項１に記載の発明は、外周に懸架装置を構成するナックルに取り付けられるための車体取付フランジを一体に有し、内周に複列の外側転走面が一体に形成された外方部材と、一端部に車輪を取り付けるための車輪取付フランジを一体に有し、外周に前記複列の外側転走面の一方に対向する内側転走面と、この内側転走面から軸方向に延びる小径段部が形成されたハブ輪、およびこのハブ輪の小径段部に嵌合され、前記複列の外側転走面の他方に対向する内側転走面が形成された内輪または等速自在継手の外側継手部材からなる内方部材と、この内方部材と前記外方部材の両転走面間に転動自在に収容された複列の転動体と、前記外方部材と内方部材との間に形成される環状空間の両端開口部に装着されたシールとを備えた車輪用軸受装置において、前記シールのうちアウター側のシールが、前記外方部材の端部内周に圧入される円筒状の嵌合部と、この嵌合部から径方向内方に延びる内径部を有する芯金、およびこの芯金に一体に接合され、径方向外方に傾斜して延びるサイドリップと、このサイドリップの内径側にダストリップ、および軸受内方側に傾斜して延びるグリースリップを一体に有するシール部材からなり、前記車輪取付フランジのインナー側の基部が断面円弧状の曲面に形成され、この基部に前記サイドリップが所定の軸方向シメシロをもって摺接され、前記グリースリップが所定の径方向シメシロを介して摺接されると共に、前記ダストリップが前記基部に対して僅かな対向すきまを介して対峙し、ラビリンスシールが構成されている。
【００１１】
このように、外方部材と内方部材との間に形成される環状空間の両端開口部に装着されたシールを備えた車輪用軸受装置において、シールのうちアウター側のシールが、外方部材の端部内周に圧入される円筒状の嵌合部と、この嵌合部から径方向内方に延びる内径部を有する芯金、およびこの芯金に一体に接合され、径方向外方に傾斜して延びるサイドリップと、このサイドリップの内径側にダストリップ、および軸受内方側に傾斜して延びるグリースリップを一体に有するシール部材からなり、車輪取付フランジのインナー側の基部が断面円弧状の曲面に形成され、この基部にサイドリップが所定の軸方向シメシロをもって摺接され、グリースリップが所定の径方向シメシロを介して摺接されると共に、ダストリップが基部に対して僅かな対向すきまを介して対峙し、ラビリンスシールが構成されているので、シールの密封性能を確保しつつ低トルク化を図った車輪用軸受装置を提供することができる。
【００１２】
また、請求項２に記載の発明のように、前記ダストリップの厚みが前記サイドリップの厚みよりも大きく設定されると共に、その先端縁が前記基部の形状に沿った傾斜面に形成されていれば、ラビリンス幅を長く設定することができ、シール性能を向上させることができる。
【００１３】
また、請求項３に記載の発明のように、前記ダストリップが扇型に形成され、その端部が前記基部の形状に沿った円弧状に形成されていても良いし、また、請求項４に記載の発明のように、前記ダストリップが径方向外方に屈曲して延び、その屈曲部が前記基部の形状に沿った円弧状に形成されていても良い。
【００１４】
また、請求項５に記載の発明のように、前記ダストリップの端部の周長さが、前記サイドリップとグリースリップ間の範囲の１／３以上になるように設定されていれば、ラビリンス幅が長くなり、シール性能を一層向上させることができる。
【００１５】
また、請求項６に記載の発明のように、前記ダストリップの表面に微細な凹凸が形成され、前記サイドリップの表面粗さよりも粗く設定されていれば、荷重負荷時に基部と接触しても、この表面に形成された微細な凹凸の作用により、接触面にグリースが保持され、良好な潤滑状態が維持される。
【００１６】
また、請求項７に記載の発明のように、前記ダストリップの表面に予めグリースが塗布されていれば、荷重負荷時に基部と接触してもグリースによって良好な潤滑状態が得られる。
【００１７】
また、請求項８に記載の発明のように、前記シール部材が、加硫接着によって前記芯金の内径部から嵌合部の一部に回り込んで固着され、外径部に径方向外方に突出する凸部が形成されると共に、この凸部の外径が前記芯金の嵌合部の外径よりも大径に形成され、前記外方部材の端部内周に弾性変形させて圧入されていれば、外方部材との芯金の嵌合部の気密性が向上し、外部から泥水等がこの嵌合部から侵入するのを防止することができる。
【００１８】
また、請求項９に記載の発明のように、前記シール部材がアウター側の端部にフラット部を有し、このフラット部の外径と前記サイドリップの外径との段差が１．３５ｍｍ以上に設定されていれば、シール組立時、サイドリップに干渉することなくシール部材のフラット部に圧入治具を押圧し、シールを外方部材に容易に圧入することができる。
【発明の効果】
【００１９】
本発明に係る車輪用軸受装置は、外周に懸架装置を構成するナックルに取り付けられるための車体取付フランジを一体に有し、内周に複列の外側転走面が一体に形成された外方部材と、一端部に車輪を取り付けるための車輪取付フランジを一体に有し、外周に前記複列の外側転走面の一方に対向する内側転走面と、この内側転走面から軸方向に延びる小径段部が形成されたハブ輪、およびこのハブ輪の小径段部に嵌合され、前記複列の外側転走面の他方に対向する内側転走面が形成された内輪または等速自在継手の外側継手部材からなる内方部材と、この内方部材と前記外方部材の両転走面間に転動自在に収容された複列の転動体と、前記外方部材と内方部材との間に形成される環状空間の両端開口部に装着されたシールとを備えた車輪用軸受装置において、前記シールのうちアウター側のシールが、前記外方部材の端部内周に圧入される円筒状の嵌合部と、この嵌合部から径方向内方に延びる内径部を有する芯金、およびこの芯金に一体に接合され、径方向外方に傾斜して延びるサイドリップと、このサイドリップの内径側にダストリップ、および軸受内方側に傾斜して延びるグリースリップを一体に有するシール部材からなり、前記車輪取付フランジのインナー側の基部が断面円弧状の曲面に形成され、この基部に前記サイドリップが所定の軸方向シメシロをもって摺接され、前記グリースリップが所定の径方向シメシロを介して摺接されると共に、前記ダストリップが前記基部に対して僅かな対向すきまを介して対峙し、ラビリンスシールが構成されているので、シールの密封性能を確保しつつ低トルク化を図った車輪用軸受装置を提供することができる。
【図面の簡単な説明】
【００２０】
【図１】本発明に係る車輪用軸受装置の一実施形態を示す縦断面図である。
【図２】図１のシール部を示す要部拡大図である。
【図３】図２のシール単体を示す拡大図である。
【図４】図２のシール部の変形例を示す要部拡大図である。
【図５】図２のシール部の他の変形例を示す要部拡大図である。
【図６】従来のシール構造を示す要部拡大図である。
【発明を実施するための形態】
【００２１】
外周にナックルに取り付けられるための車体取付フランジを一体に有し、内周に複列の外側転走面が一体に形成された外方部材と、一端部に車輪を取り付けるための車輪取付フランジを一体に有し、外周に前記複列の外側転走面の一方に対向する内側転走面と、この内側転走面から軸方向に延びる小径段部が形成されたハブ輪、およびこのハブ輪の小径段部に所定のシメシロを介して圧入され、外周に前記複列の外側転走面の他方に対向する内側転走面が形成された内輪からなる内方部材と、この内方部材と前記外方部材の両転走面間に転動自在に収容された複列の転動体と、前記外方部材と内方部材との間に形成される環状空間の両端開口部に装着されたシールとを備えた車輪用軸受装置において、前記シールのうちアウター側のシールが、前記外方部材の端部内周に圧入される円筒状の嵌合部と、この嵌合部から径方向内方に延びる内径部を有する芯金、およびこの芯金に一体に接合され、径方向外方に傾斜して延びるサイドリップと、このサイドリップの内径側に、径方向外方に傾斜して延びるダストリップ、および軸受内方側に傾斜して延びるグリースリップを一体に有するシール部材からなり、前記車輪取付フランジのインナー側の基部が断面円弧状の曲面に形成され、この基部に前記サイドリップが所定の軸方向シメシロをもって摺接され、前記グリースリップが所定の径方向シメシロを介して摺接されると共に、前記ダストリップの厚みが前記サイドリップの厚みよりも大きく設定され、その先端縁が前記基部の形状に沿った傾斜面に形成されて前記基部に対して僅かな対向すきまを介して対峙し、ラビリンスシールが構成されている。
【実施例】
【００２２】
以下、本発明の実施の形態を図面に基づいて詳細に説明する。
図１は、本発明に係る車輪用軸受装置の一実施形態を示す縦断面図、図２は、図１のシール部を示す要部拡大図、図３は、図２のシール単体を示す拡大図、図４は、図２のシール部の変形例を示す要部拡大図、図５は、図２のシール部の他の変形例を示す要部拡大図である。なお、以下の説明では、車両に組み付けた状態で車両の外側寄りとなる側をアウター側（図１の左側）、中央寄り側をインナー側（図１の右側）という。
【００２３】
この車輪用軸受装置は駆動輪用の第３世代と称され、ハブ輪１と、このハブ輪１に圧入された内輪２とからなる内方部材３と、この内方部材３に複列の転動体（ボール）４、４を介して外挿された外方部材５とを備えている。
【００２４】
ハブ輪１は、アウター側の端部に車輪（図示せず）を取り付けるための車輪取付フランジ６を一体に有し、外周に一方（アウター側）の内側転走面１ａと、この内側転走面１ａから軸方向に延びる小径段部１ｂが形成され、内周にトルク伝達用のセレーション（またはスプライン）１ｃが形成されている。また、車輪取付フランジ６の周方向等配位置にハブボルト６ａが植設されている。内輪２は、外周に他方（インナー側）の内側転走面２ａが形成され、ハブ輪１の小径段部１ｂに所定のシメシロを介して圧入固定されている。
【００２５】
ハブ輪１はＳ５３Ｃ等の炭素０．４０〜０．８０ｗｔ％を含む中高炭素鋼で形成され、内側転走面１ａをはじめ、後述するシール８のシールランド部となる車輪取付フランジ６のインナー側の基部６ｂから小径段部１ｂに亙って高周波焼入れによって５８〜６４ＨＲＣの範囲に表面が硬化処理されている。一方、内輪２および転動体４はＳＵＪ２等の高炭素クロム鋼で形成され、ズブ焼入れによって芯部まで５８〜６４ＨＲＣの範囲に硬化処理されている。
【００２６】
外方部材５は、外周に懸架装置を構成するナックル（図示せず）に取り付けられるための車体取付フランジ５ｂを一体に有し、内周に内方部材３の内側転走面１ａ、２ａに対向する複列の外側転走面５ａ、５ａが一体に形成されている。これら両転走面５ａ、１ａおよび５ａ、２ａ間には保持器７を介して複列の転動体４、４が転動自在に収容されている。
【００２７】
外方部材５はＳ５３Ｃ等の炭素０．４０〜０．８０ｗｔ％を含む中高炭素鋼で形成され、少なくとも複列の外側転走面５ａ、５ａが高周波焼入れによって５８〜６４ＨＲＣの範囲に表面が硬化処理されている。また、外方部材５と内方部材３との間に形成される環状空間の両端開口部にシール８、９が装着され、軸受内部に封入された潤滑グリースの外部への漏洩と、外部から雨水やダスト等が軸受内部に浸入するのを防止している。
【００２８】
シール８、９のうちインナー側のシール９は、互いに対向配置され、固定側部材となる外方部材５のインナー側の端部内周に所定のシメシロを介して圧入された環状のシール板１０と、回転側部材となる内輪２の外径に所定のシメシロを介して圧入されたスリンガ１１とからなる、所謂パックシールで構成されている。また、アウター側のシール８は、外方部材５のアウター側端部の内周に所定のシメシロを介して圧入された芯金１２と、この芯金１２に接合されたシール部材１３とからなる一体型のシールで構成されている。
【００２９】
シール８の芯金１２は、オーステナイト系ステンレス鋼鈑（ＪＩＳ規格のＳＵＳ３０４系）や冷間圧延鋼鈑（ＪＩＳ規格のＳＰＣＣ系）等、防錆能を有する鋼鈑からプレス加工にて円環状に形成されている。芯金１２がこの種の防錆能を有する鋼鈑からプレス加工にて、断面が略Ｌ字状に、全体として円環状に形成され、外方部材５の端部内周に圧入される円筒状の嵌合部１２ａと、この嵌合部１２ａから径方向内方に屈曲して延びる内径部１２ｂを備えている。
【００３０】
一方、シール部材１３はＮＢＲ（アクリロニトリル−ブタジエンゴム）等の合成ゴムからなり、加硫接着によって芯金１２に一体に接合されている。このシール部材１３は、図２に拡大して示すように、径方向外方に傾斜して延びるサイドリップ１３ａと、このサイドリップ１３ａの内径側に同じく径方向外方に僅かに傾斜して延びるダストリップ１３ｂ、および軸受内方側に傾斜して延びるグリースリップ１３ｃを一体に有している。
【００３１】
車輪取付フランジ６のインナー側の基部６ｂは断面が円弧状の曲面に形成され、この基部６ｂにサイドリップ１３ａが所定の軸方向シメシロをもって摺接されると共に、グリースリップ１３ｃが所定の径方向シメシロを介して摺接されている。ここで、ダストリップ１３ｂは、基部６ｂに対して僅かな対向すきまＡを介して対峙し、ラビリンスシールを構成している。ここでは、対向すきまＡは０〜１．０ｍｍの範囲に設定されている。
【００３２】
このサイドリップ１３ａとダストリップ１３ｂにより、所望の密封性能を確保しつつ低トルク化を図ることができると共に、軸受の昇温によって内部圧力が増大した場合においても、グリースリップ１３ｃを介して軸受内部の空気が流出することはなく、また、軸受冷却時にこのサイドリップ１３ａとグリースリップ１３ｃが基部６ｂに吸着することもない。したがって、吸着によるハブ輪１の回転トルクの増加を防止すると共に、所望のシール性能を確保でき、シール８の密封性と耐久性を高めて軸受の長寿命化を図ることができる。
【００３３】
なお、シール部材１３の材質としては、ＮＢＲ以外にも、例えば、耐熱性に優れたＨＮＢＲ（水素化アクリロニトリル・ブタジエンゴム）、ＥＰＤＭ（エチレンプロピレンゴム）等をはじめ、耐熱性、耐薬品性に優れたＡＣＭ（ポリアクリルゴム）、ＦＫＭ（フッ素ゴム）、あるいはシリコンゴム等を例示することができる。
【００３４】
また、本実施形態では、ダストリップ１３ｂの厚みＢが、サイドリップ１３ａの厚みＣよりも大きく設定され（Ｂ≧Ｃ）、その先端縁が基部６ｂの形状に沿った傾斜面に形成されている。これにより、ラビリンス幅を長く設定することができ、シール性能を向上させることができる。
【００３５】
さらに、ダストリップ１３ｂの表面に微細な凹凸が形成され、他のサイドリップ１３ａ、グリースリップ１３ｃの表面粗さよりも粗く設定されていると共に、予めグリースが塗布されている（図中クロスハッチングにて示す）。このダストリップ１３ｂは、荷重負荷時に基部６ｂと接触することが考えられるが、この表面に形成された微細な凹凸の作用により、接触面にグリースが保持され、良好な潤滑状態が維持されてリップ摩耗を防止することができるので、長期間に亘って所望の対向すきまＡを維持することができる。
【００３６】
なお、ここでは、転動体７にボールを使用した複列アンギュラ玉軸受で構成された車輪用軸受装置を例示したが、本発明はこれに限らず、転動体７に円錐ころを使用した複列円錐ころ軸受で構成されていても良い。さらに、例示した第３世代構造に限らず、第４世代構造であっても良い。
【００３７】
図３にシール８単体を示すが、ここで、シール部材１３は、加硫接着によって芯金１２の内径部１２ｂから嵌合部１２ａの一部に回り込んで固着されている。そして、アウター側の端部にフラット部１４と、外径部に径方向外方に突出する凸部１５が形成されている。この凸部１５の外径は芯金１２の嵌合部１２ａの外径よりも大径に形成され、外方部材５の端部内周に弾性変形させて圧入されている。これにより、外方部材５との芯金１２の嵌合部１２ａの気密性が向上し、外部から泥水等がこの嵌合部１２ａから侵入するのを防止することができる。
【００３８】
また、フラット部１４の外径とサイドリップ１３ａの外径との段差Ｆが１．３５ｍｍ以上に設定されている。これにより、シール組立時、サイドリップ１３ａに干渉することなくシール部材１３のフラット部１４に圧入治具（図示せず）を押圧し、シール８を外方部材５に容易に圧入することができる。
【００３９】
図４に示すシール１７は、図３のシール８の変形例である。なお、このシール１７は、基本的にはシール８とシール部材のダストリップの構成が異なるだけで、その他同一部品同一部位あるいは同一機能を有する部品や部位には同じ符号を付して詳細な説明を省略する。
【００４０】
シール１６は、外方部材５のアウター側の端部内周に所定のシメシロを介して圧入された芯金１２と、この芯金１２に一体に接合されたシール部材１７とからなる一体型のシールで構成されている。
【００４１】
シール部材１７はＮＢＲ等の合成ゴムからなり、加硫接着によって芯金１２の内径部１２ｂから嵌合部１２ａの一部に亙って一体に接合されている。このシール部材１７は、径方向外方に傾斜して延びるサイドリップ１３ａと、このサイドリップ１３ａの内径側にダストリップ１７ａ、および軸受内方側に傾斜して延びるグリースリップ１３ｃを一体に有している。
【００４２】
ここで、ダストリップ１７ａは扇型に形成され、その端部１８が基部６ｂの形状に沿った円弧状に形成されている。そして、基部６ｂに対して僅かな対向すきまＡを介して対峙し、ラビリンスシールを構成している。また、端部１８の周長さＤが、サイドリップ１３ａとグリースリップ１３ｃ間の範囲Ｅの１／３以上になるように設定されている。これにより、ラビリンス幅が長くなり、シール性能を一層向上させることができる。
【００４３】
さらに、前述した実施形態と同様、ダストリップ１７ａの表面に微細な凹凸が形成され、他のサイドリップ１３ａ、グリースリップ１３ｃの表面粗さよりも粗く設定されていると共に、予めグリースが塗布されている（図中クロスハッチングにて示す）。
【００４４】
図５に示すシール１９は、図３のシール８の他の変形例である。なお、このシール１９は、基本的にはシール８とシール部材のダストリップの構成が異なるだけで、その他同一部品同一部位あるいは同一機能を有する部品や部位には同じ符号を付して詳細な説明を省略する。
【００４５】
シール１９は、外方部材５のアウター側の端部内周に所定のシメシロを介して圧入された芯金１２と、この芯金１２に一体に接合されたシール部材２０とからなる一体型のシールで構成されている。
【００４６】
シール部材２０はＮＢＲ等の合成ゴムからなり、加硫接着によって芯金１２の内径部１２ｂから嵌合部１２ａの一部に亙って一体に接合されている。このシール部材２０は、径方向外方に傾斜して延びるサイドリップ１３ａと、このサイドリップ１３ａの内径側に、先端部が径方向外方に屈曲して延びるダストリップ２０ａ、および軸受内方側に傾斜して延びるグリースリップ１３ｃを一体に有している。
【００４７】
ここで、ダストリップ２０ａの先端屈曲部は、基部６ｂの形状に沿った円弧状に形成されている。そして、基部６ｂに対して僅かな対向すきまＡを介して対峙し、ラビリンスシールを構成している。また、ダストリップ２０ａの周長さＤが、サイドリップ１３ａとグリースリップ１３ｃ間の範囲Ｅの１／３以上になるように設定されている。これにより、ラビリンス幅が長くなり、シール性能を一層向上させることができる。
【００４８】
さらに、前述した実施形態と同様、ダストリップ２０ａの表面に微細な凹凸が形成され、他のサイドリップ１３ａ、グリースリップ１３ｃの表面粗さよりも粗く設定されていると共に、予めグリースが塗布されている（図中クロスハッチングにて示す）。
【００４９】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００５０】
本発明に係る車輪用軸受装置は、回転側部材となる内方部材と、固定側部材となる外方部材との間に形成される環状空間の開口部にシールが装着された第３世代または第４世代構造の車輪用軸受装置に適用できる。
【符号の説明】
【００５１】
１  ハブ輪
１ａ、２ａ  内側転走面
１ｂ  小径段部
１ｃ  セレーション
２  内輪
３  内方部材
４  転動体
５  外方部材
５ａ  外側転走面
５ｂ  車体取付フランジ
６  車輪取付フランジ
６ａ  ハブボルト
６ｂ  車輪取付フランジのインナー側の基部
７  保持器
８、１６、１９  アウター側のシール
９  インナー側のシール
１０  シール板
１１  スリンガ
１２  芯金
１２ａ  嵌合部
１２ｂ  内径部
１３、１７、２０  シール部材
１３ａ  サイドリップ
１３ｂ、１７ａ、２０ａ  ダストリップ
１３ｃ  グリースリップ
１４  フラット部
１５  凸部
１８  ダストリップの端部
５０  シール
５１  外輪
５２  ハブ輪
５３  内部空間
５４  サイドリップ
５５  ダストリップ
５６  グリースリップ
５７  車輪取付フランジ
５８  曲面部
５９  ラビリンスすきま
Ａ  ダストリップと基部との対向すきま
Ｂ  ダストリップの厚み
Ｃ  サイドリップの厚み
Ｄ  ダストリップの周長さ
Ｅ  サイドリップとグリースリップ間の範囲
Ｆ  フラット部の外径とサイドリップの外径との段差
δ１、δ２、δ３  シメシロ
【図１】
2011080570.tif 000003
【図２】
2011080570.tif 000004
【図３】
2011080570.tif 000005
【図４】
2011080570.tif 000006
【図５】
2011080570.tif 000007
【図６】
2011080570.tif 000008